(57)【要約】【解決手段】  防振用床支持脚構造は、二階建の住宅の二階の床基盤1 上に置かれた防振材3 と、防振材3 上に立設されかつ下端に防振材3 に圧接する上部金属板4 を有する支持脚5 とを備えてなる。防振材3 はポリ塩化ビニルエラストマー製の外径５７ｍｍ、内径４０ｍｍ、厚さ１０ｍｍのドーナツ板からなる。上部金属板4 は直径５７ｍｍ、厚さ３．２ｍｍの円板からなり、その中心部に支持脚5 が立上がり状に配され、固定されている。上部金属板4 は防振材3  の上にそのドーナツ孔8 を覆い隠すように配置されている。防振材3 の受圧面積は１２．９ｃｍ２ 、および荷重５００Ｎでバネ定数は４８０Ｎ／ｍｍである。【効果】  階上で発生した衝撃音が階下へ伝わるのを効果的に防ぐことができる。該防振材はゴム製防振材に比べ耐荷重性に優れるため、階上の浴室や二重床のような浮き床に大きな荷重がかかっても床の沈み込みを防ぐことができる。【選択図】    図１
2005163261.tif 000002
【特許請求の範囲】
【請求項１】
床基盤上に置かれた防振材と、防振材の上に立設されかつ下端に防振材に圧接する上部
金属板を有する支持脚とを備えた床支持脚構造において、防振材が厚さ５ｍｍ以上、直径
３０ｍｍ以上、および受圧面積６ｃｍ２ 以上のものであり、１個または複数個の透孔ま
たは凹所を有することを特徴とする防振用床支持脚構造。
【請求項２】
防振材が荷重５００Ｎでバネ定数３００〜７００Ｎ／ｍｍを有する材料からなることを
特徴とする請求項１記載の防振用床支持脚構造。
【請求項３】
防振材の透孔または凹所に防振材より硬質の材料からなる嵌入片が嵌込まれていること
を特徴とする請求項１または２記載の防振用床支持脚構造。
【発明の詳細な説明】
【技術分野】
【０００１】
本発明は、浴室や二重床のような浮き床における防振用床支持脚構造に関し、より詳し
くは、床基盤上に配設された下部金属板と、下部金属板上に配置された防振材と、防振材
上に立設されかつ下端に防振材に圧接する上部金属板を有する支持脚とを備えた防振用床
支持脚構造に関するものである。
【背景技術】
【０００２】
近年、集合住宅などにおいて、構造躯体として大型のスラブが用いられることが多い。
大型のスラブの使用は、間取り設計の自由度を増し、大空間の設計を可能にするなどの利
点がある反面、上階に浴室があり下階に居室がある場合、とりわけこれらが同一スパン内
に存在する場合、上階の浴室で発生した床衝撃音が下階の居室に騒音として伝わる恐れが
ある。居室の直上に浴室が存在する場合、浴室で発生した床衝撃音が騒音として真下の居
室に直に伝わる恐れがある。そのため、浴室で発生した床衝撃音を騒音として他の場所へ
伝搬するのを効果的に防ぐことができる防振用床支持脚の要望が高まって来ている。
【０００３】
従来、このような床支持脚構造として、図８に示すように、床支持脚(41)の下端の防振
ゴム(42)を裁頭逆円錐体状にして、その底面に保形用の穿孔を設けた構造や（特許文献１
参照）、図９に示すように、ゴム製の防振基台(51)上に円筒状の支持脚(52)を立設し、そ
の内部に補助脚(53)を保持し、荷重でゴム製の防振基台(51)が圧縮された際には補助脚(5
3)の下端がスラブ(55)上面に当接する構造が提案されている（特許文献２参照）。しかし
、前者の構造では、耐荷重性が十分でなく、室中央に間仕切りを設けたり間仕切りを背に
家具等を配置すると床(44)の沈み込みが大きく、床敷物(45)や壁紙が破れるなどの問題が
生じる。後者の構造では、形状が複雑で製造コストが高くつき、荷重で補助脚(53)の下端
がスラブ(55)上面に当接していると遮音性能が低下するなどの問題がある。なお、図８中
、(46)は支持ブロック、(47)は床下地、(48)は床合板、(49)はスラブである。
【特許文献１】特開２００２−２７６１４４号公報。
【特許文献２】特開２００２−２２７３９６号公報。
【発明の開示】
【発明が解決しようとする課題】
【０００４】
本発明は、従来技術の上記諸問題を解決することができる、浴室および二重床における
防振用床支持脚構造を提供することを課題とする。
【課題を解決するための手段】
【０００５】
本発明による防振用床支持脚構造は、床基盤上に置かれた防振材と、防振材の上に立設
されかつ下端に防振材に圧接する上部金属板を有する支持脚とを備えた床支持脚構造にお
いて、防振材が厚さ５ｍｍ以上、好ましくは８〜２０ｍｍ、直径３０ｍｍ以上、好ましく
は３０〜８０ｍｍ、および受圧面積６ｃｍ２ 以上、好ましくは１０〜３０ｍ２ のもので
あり、１個または複数個の透孔または凹所を有することを特徴とするものである。
【０００６】
防振材は、荷重５００Ｎでバネ定数３００〜７００Ｎ／ｍｍを有する材料からなること
が好ましい。
【０００７】
防振材の透孔または凹所に防振材より硬質の材料からなる嵌入片が嵌込まれていること
が好ましい。
【発明の効果】
【０００８】
本発明による防振用床支持脚構造では、防振材は厚さ５ｍｍ以上、直径３０ｍｍ以上、
および受圧面積６ｃｍ２ 以上のものであり、１個または複数個の透孔または凹所を有す
る材料からなるので、階上で発生した衝撃音が階下へ伝わるのを効果的に防ぐことができ
る。また、上記組成の防振材はゴム製防振材に比べ耐荷重性に優れるため、階上の浴室や
二重床のような浮き床に大きな荷重がかかっても床の沈み込みを確実に防ぐことができる
。
【０００９】
このように本発明により耐荷重性に優れかつ防振性能にも優れる、防振用床支持脚構造
を提供することができる。
【発明を実施するための最良の形態】
【００１０】
つぎに、本発明を具体的に説明するために、本発明の実施例およびこれとの比較を示す
ための比較例をいくつか挙げる。
【００１１】
実施例１
図１および図２において、防振用床支持脚構造は、二階建の住宅の二階の床基盤(1) 上
に置かれた防振材(3) と、防振材(3) 上に立設されかつ下端に防振材(3) に圧接する上部
金属板(4) を有する支持脚(5) とを備えてなる。
【００１２】
防振材(3) はポリ塩化ビニルエラストマー（積水化学工業社製、「セキスイコンパウン
ドＳ２０４Ｔ）製の外径５７ｍｍ、内径４０ｍｍ、厚さ１０ｍｍのドーナツ板からなる。
【００１３】
上部金属板(4) は直径５７ｍｍ、厚さ３．２ｍｍの円板からなり、その中心部に支持脚
(5) が立上がり状に配され、固定されている。上部金属板(4) は防振材(3)  の上にその
ドーナツ孔(8) を覆い隠すように配置されている。防振材(3) の受圧面積は１２．９ｃｍ
２ 、および荷重５００Ｎでバネ定数は４８０Ｎ／ｍｍである。
【００１４】
支持脚(5) の上端部は雄ネジ(5a)になっており、雄ネジ(5a)にナット(9) が螺合されて
いる。
【００１５】
上記構成の複数の防振用床支持脚構造によって床下地材が支えられ、床下地材上の床に
市販の浴室ユニット（積水化学社製、「ＦＰＮ−１２１６」）が据え付けられる。
【００１６】
実施例２
防振用床支持脚構造は、防振材(3) を厚み６ｍｍのものに代えた以外、実施例１のもの
と同じである。バネ定数は６２０Ｎ／ｍｍである。
【００１７】
実施例３
防振用床支持脚構造は、防振材(3) を厚み１５ｍｍのものに代えた以外、実施例１のも
のと同じである。バネ定数は３９０Ｎ／ｍｍである。
【００１８】
実施例４
図３および図４において、防振材(3)  のドーナツ孔(8) に、直径４０ｍｍ、厚さ７ｍ
ｍの硬度６５度の天然ゴム製円板からなる嵌入片(7) が密に嵌込まれている。バネ定数は
４８０Ｎ／ｍｍである。その他の点は実施例１のものと同じである。
【００１９】
実施例５
図５において、防振材(3) の下に、７５ｍｍ×７５ｍｍ×１．６ｍｍの正方形板からな
り、中心部に内径４０ｍｍの透孔(10)を有する下部金属板(12)が配されている。下部金属
板(12)はその下の床基盤に周縁角部の円孔(13)にてビス止めされ、または周縁辺部の長孔
(11)にて接着剤で固定されている。バネ定数は４８０Ｎ／ｍｍである。その他の点は実施
例１のものと同じである。
【００２０】
実施例６
防振用床支持脚構造は、防振材(3) をスチレンエラストマー（住友化学社製、「ＴＰＥ
ＳＢ７５０５」）で構成されたものに代えた以外、実施例１のものと同じである。バネ
定数は６４０Ｎ／ｍｍである。
【００２１】
実施例７
図６および図７において、防振材(3) の下に、外径５７ｍｍ、内径５０ｍｍ、厚さ３ｍ
ｍのドーナツ板からなる下部金属板(2) が配されている。(6) はドーナツ孔である。下部
金属板(12)は床基盤に接着剤で固定されている。その他の点は実施例１のものと同じであ
る。
【００２２】
比較例１
防振用床支持脚構造は、防振材を配置しない以外、実施例１のものと同じである。
【００２３】
比較例２
防振用床支持脚構造は、防振材を直径４０ｍｍ、厚さ１０ｍｍの円板からなるものに代
えた以外、施施例１のものと同じである。バネ定数は７２０Ｎ／ｍｍである。
【００２４】
＜遮音性試験＞
床基盤の厚さ１５０ｍｍ、床面積１２ｍ２ の二階建の住宅で一階を５０ｍ３ の残響室
とした評価棟において、二階において浴室（浴槽２４０ｋｇ、洗場１２０ｋｇ）の床を軽
量床衝撃音発生装置およびゴルフボール（高さ５０ｃｍから落下）を用いて加振し、一階
の高さ１．５ｍの５か所にて軽量床衝撃音（１０秒平均値（Ｌｅｑ）の３回平均）および
ゴルフボール衝撃音（最大値（Ｌｍａｘ）の５回平均）の騒音レベルを計測し、Ａ特性（
ｄＢ）で示した。
【００２５】
＜たわみ量＞
都市公団「機材の品質判定基準」の浴槽ユニットに準拠して、浴室ユニット（１２０ｋ
ｇ）に、浴槽側２７０ｋｇと洗場側１００ｋｇの合計３７０ｋｇの荷重を与え、浴室床の
たわみ量をコーナー４カ所と洗場中央１カ所で、荷重付加１時間後に測定した。
【００２６】
実施例および比較例の浴室床構成部材の寸法、防振材の受圧面積およびバネ定数、階下
騒音、およびたわみ量を表１および表２にまとめてに示す。
【表１】
2005163261.tif 000003
【００２７】
【表２】
2005163261.tif 000004
【００２８】
表１および表２から明らかなように、実施例による防振用床支持脚構造は、階下騒音お
よびたわみ量のいずれにおいても良好な値を示すことが確認された。
【図面の簡単な説明】
【００２９】
【図１】実施例１による防振用床支持脚構造を示す斜視図である。
【図２】実施例１による防振用床支持脚構造を示す垂直断面図である。
【図３】実施例４による防振用床支持脚構造を示す斜視図である。
【図４】実施例４による防振用床支持脚構造を示す垂直断面図である。
【図５】実施例５による防振用床支持脚構造を示す斜視図である。
【図６】実施例７による防振用床支持脚構造を示す斜視図である。
【図７】実施例７による防振用床支持脚構造を示す垂直断面図である。
【図８】従来の防振用床支持脚構造を示す垂直断面図である。
【図９】従来の防振用床支持脚構造を示す垂直断面図である。
【符号の説明】
【００３０】
(1) ：床基盤
(2) (12)：下部金属板
(3) ：防振材
(4) ：上部金属板
(5) ：支持脚
(6) ：ドーナツ孔
(7) 嵌入片
(8)ドーナツ孔
(9) ：ナット
(10)：透孔
(11)：長孔
(13)：円孔
【図１】
2005163261.tif 000005
【図２】
2005163261.tif 000006
【図３】
2005163261.tif 000007
【図４】
2005163261.tif 000008
【図５】
2005163261.tif 000009
【図６】
2005163261.tif 000010
【図７】
2005163261.tif 000011
【図８】
2005163261.tif 000012
【図９】
2005163261.tif 000013